(57)【特許請求の範囲】
【請求項１】
引き出し式の冷凍室を有する冷蔵庫において、
前記引き出し式の冷凍室に設けられた収納ケースと、
この収納ケースを貯氷スペースと、前記貯氷スペースと深さの異なる食品収納スペースとに区分する収納ケースとは別体の仕切りと、
前記収納ケースの床面に設けられたストッパーリブと、
を備え、
前記仕切りは、
左右の長さが異なる板状リブと、
当該仕切りの下部と、前記板状リブの長手側の下方に立設された二つの係合部と、を具備し、
前記二つの係合部が、前記ストッパーリブと、前記収納ケースの前記貯氷スペースまたは前記食品収納スペースの深い方の段部端面とに係合する構成であり、
前記仕切りの左右の向きを変更することで、前記貯氷スペースと前記食品収納スペースとの容積の割合を変更することができることを特徴とする冷蔵庫。
【請求項２】
収納ケースが引出扉フレームに支えられていることを特徴とする請求項１記載の冷蔵庫。
【請求項３】
一つの引出扉について上下二段の収納ケースを有することを特徴とする請求項１記載の冷蔵庫。
【請求項４】
下段収納ケースが上段収納ケースを支え、引出扉フレームが前記下段収納ケースを支える構成としたことを特徴とする請求項３記載の冷蔵庫。
【請求項５】
貯氷スペースの深さを食品収納スペースよりも深くしたことを特徴とする請求項１記載の冷蔵庫。
【請求項６】
仕切りが取り外せる構成としたことを特徴とする請求項１記載の冷蔵庫。
【請求項７】
貯氷スペースの上部に製氷機を有し、仕切りが前記製氷機に接触することを防止する接触防止手段を備えたことを特徴とする請求項１記載の冷蔵庫。
【発明の詳細な説明】
【０００１】
【発明の属する技術分野】
この発明は、冷凍冷蔵庫の食品収納ケースに関するものである。
【０００２】
【従来の技術】
図１１は従来の食品収納ケースの正面断面図である。図に示すように、収納ケース１０１は中央付近で収納ケース１０１と一体に成形された仕切り１０２で仕切られており、左側は貯氷スペース１０７で右側は食品収納スペース１０８である。
【０００３】
【発明が解決しようとする課題】
従来の収納ケースは以上のように構成されているので、仕切り１０２の位置が固定のため、特に貯氷スペース１０７をあまり使わないユーザにはスペースの使い方が有効ではないという問題点があった。
【０００４】
この発明は、かかる問題点を解決するためになされたもので、収納ケースにおける貯氷スペースと食品収納スペースの割合を変えることができる冷蔵庫を提供することを目的とする。
【０００５】
【課題を解決するための手段】
この発明に係る冷蔵庫は、引き出し式の冷凍室を有する冷蔵庫において、引き出し式の冷凍室に設けられた収納ケースと、この収納ケースを貯氷スペースと食品収納スペースとに区分する収納ケースとは別体の仕切りと、を備え、仕切りを左右に移動可能な構成とし、貯氷スペースと食品収納スペースとの容積の割合を変更することができるものである。
【０００６】
また、収納ケースが引出扉フレームに支えられているものである。
【０００７】
また、一つの引出扉について上下二段の収納ケースを有するものである。
【０００８】
また、下段収納ケースが上段収納ケースを支え、引出扉フレームが下段収納ケースを支える構成としたものである。
【０００９】
また、仕切りが左右に数段階で移動するものである。
【００１０】
また、仕切りが左右にリニアに移動するものである。
【００１１】
また、深さの異なる貯蔵スペースを有する収納ケースとしたものである。
【００１２】
また、貯氷スペースの深さを食品収納スペースよりも深くしたものである。
【００１３】
また、仕切りが取り外せる構成としたものである。
【００１４】
また、貯氷スペースの上部に製氷機を有し、仕切りが製氷機に接触することを防止する接触防止手段を備えたものである。
【００１５】
また、収納ケース床面に水平な板状リブを仕切りに設け、食品収納スペースを広くしたものである。
【００１６】
また、仕切りが前後反転することにより左右スペースの容積を変更することが可能であるものである。
【００１７】
また、仕切りに左右の長さのことなる板状リブを設けたものである。
【００１８】
また、仕切りの下部と板状リブの長手側の下方に立設された係合部とが、ストッパーリブと収納ケースの深い方の段部端面とに係合する構成としたものである。
【００１９】
【発明の実施の形態】
実施の形態１．
以下この発明の実施の形態１を図面を参照して説明する。
図１〜７は実施の形態１を示す図で、図１，２は冷蔵庫の正面図、図３，４は収納ケース・仕切りの斜視図、図５，６は収納ケース・仕切りを示す正面断面図、図７は冷凍室収納ケースの正面図である。
図１に示す冷蔵庫は、一つの引出扉について上下二段の収納ケースを有するものである。図において、１は上段収納ケース、２は上段収納ケース１を左右に区分するための仕切り、３は上段収納ケースを支える下段収納ケース、４は下段収納ケース３を支える引出扉フレーム、５は冷凍室扉、６は製氷機、７は貯氷スペース、８は食品収納スペースである。
【００２０】
図２に示す冷蔵庫は、一つの引出扉について一つの収納ケースを有するものである。図において、１は上段収納ケース、２は上段収納ケース１を左右に区分するための仕切り、３は下段収納ケース、４は上段収納ケース１と下段収納ケース３を各々支える引出扉フレーム、５は冷凍室扉、６は製氷機、７は貯氷スペース、８は食品収納スペースある。
【００２１】
図３に示すように、上段収納ケース１の左側は主に貯氷を目的としており十分な貯氷量を得るため床面が深くなっている。上段収納ケース１を左右に区分するための仕切り２は上段収納ケース１の床面に設けられた前後の仕切り係合リブ１ａに係合し、係合位置は床面の仕切り係合リブ１ａに設けられた複数の溝によって左右方向に変えることが可能で、仕切り係合リブ１ａの左側には接触防止手段であるストッパーリブ１ｂがあり、製氷機６に仕切り２が接触しないようにしている。仕切り２を左右に移動することにより上段収納ケース１の貯氷スペース７と食品収納スペース８の割合を変えることができる。
【００２２】
図３に仕切り２が左右に数段階で移動できるものを示したが、図４に示すように、仕切り２は上段収納ケース１の床面に設けられた前後の溝の無い仕切り係合リブ１ａに係合し、係合位置は床面の仕切り係合リブ１ａの範囲で自由に変えることが可能である。仕切り係合リブ１ａの左側にはストッパーリブ１ｂがあり、製氷機６に仕切り２が接触しないようにしている。仕切り２を移動することにより上段収納ケース１の貯氷スペース７と食品収納スペース８の割合を変えることができる。
【００２３】
図５に示すように、上段収納ケース１は中央付近より左側が貯氷スペースで十分な貯氷量を得るため床面が深くなっている。上段収納ケース１の右側の浅い方には主に冷凍する食品を収納する食品収納スペース８である。仕切り２を右に寄せて設置することにより貯氷スペース７が最も多く取ることができる。また、上段収納ケース１の浅い方で仕切り２までいっぱいに食品収納スペース８として使えるように上段収納ケース１床面に水平な板状リブ９を設ける。
【００２４】
図６に示すように、仕切り２を左に寄せて設置することにより上段収納ケース１の右側で冷凍する食品収納スペース８が最も多く取ることができる。また、上段収納ケース１の浅い方で仕切り２までいっぱいに食品収納スペース８として使えるように上段収納ケース１床面に水平な板状リブ９を設ける。
【００２５】
図７に示すように、製氷機６を使用しない時は上段収納ケース１の深さの深い方と浅い方で用途を限定せず全幅でスペースを活用できるように仕切り２を取り外す。
【００２６】
実施の形態２．
以下、この発明の実施の形態２を図面を参照して説明する。
図８〜１０は実施の形態２を示す図で、図８は収納ケース、仕切りの斜視図、図９，１０は収納ケース、仕切りを示す正面断面図である。
図８に示すように、仕切り２に左右の長さが異なる板状リブ９を設け、かつ仕切り２の下部と板状リブ９の長手側の下方に立設された係合部とが、ストッパーリブ１ｂと上段収納ケース１の深い方の段部端面とに係合する構成とする。この場合は上段収納ケース１の床面の仕切り係合リブ１ａは不要である。
【００２７】
上段収納ケース１に設置する際に付随する板状リブ９の長手側が右側にくるようにすると食品収納スペース８が最も多く確保できる状態になり仕切り２を前後反転して設置すれば、最も多く貯氷スペース７を確保できる。
【００２８】
図９に示すように、上段収納ケース１の深さの深い方は貯氷スペース７、浅い方には冷凍する食品の食品収納スペース８である。仕切り２に付随する板状リブ９の長手側が左側になるとき貯氷スペースが最大に確保できる。
【００２９】
図１０に示すように、上段収納ケース１の深さの深い方は貯氷スペース７、浅い方には冷凍する食品の食品収納スペース８である。仕切り２に付随する板状リブ９の長手側が右側になるとき食品収納スペース８が最大に確保できる。
【００３０】
【発明の効果】
この発明に係る冷蔵庫は、引き出し式の冷凍室に設けられた収納ケースと、この収納ケースを貯氷スペースと食品収納スペースとに区分する収納ケースとは別体の仕切りと、を備え、仕切りを左右に移動可能な構成とし、貯氷スペースと食品収納スペースとの容積の割合を変更することができる。
【００３１】
また、収納ケースが引出扉フレームに支えられているもので貯氷スペースと食品収納スペースの割合を変えることができる。
【００３２】
また、一つの引出扉について上下二段の収納ケースを有するもので貯氷スペースと食品収納スペースの割合を変えることができる。
【００３３】
また、仕切りが左右に数段階で移動することにより貯氷スペースと食品収納スペースの割合を変えることができる。
【００３４】
また、仕切りが左右にリニアに移動することにより貯氷スペースと食品収納スペースの割合を変えることができる。
【００３５】
また、深さの異なる貯蔵スペースを有する収納ケースとしたことにより、貯氷スペースと食品収納スペースの割合を変えることができる。
【００３６】
また、貯氷スペースの深さを食品収納スペースよりも深くしたことにより、十分な貯氷量を得ることができる。
【００３７】
また、仕切りが取り外せる構成としたことより収納ケース全体を食品収納スペースとして使用できる。
【００３８】
また、接触防止手段を備えたことにより、仕切りが製氷機に接触することを防止することができる。
【００３９】
また、収納ケース床面に水平な板状リブを仕切りに設けることにより、食品収納スペースを広くすることができる。
【００４０】
また、仕切りが前後反転することにより左右スペースの容積を変更することができる。
【００４１】
また、仕切りに左右の長さのことなる板状リブを設けたことにより、左右スペースの容積を変更することができる。
【００４２】
また、仕切りの下部と板状リブの長手側の下方に立設された係合部とが、ストッパリブと収納ケースの深い方の段部端面とに係合する構成としたことにより、構成を簡略化できる。
【図面の簡単な説明】
【図１】  実施の形態１を示す図で、冷蔵庫の正面図である。
【図２】  実施の形態１を示す図で、冷蔵庫の正面図である。
【図３】  実施の形態１を示す図で、収納ケース、仕切りの斜視図である。
【図４】  実施の形態１を示す図で、収納ケース、仕切りの斜視図である。
【図５】  実施の形態１を示す図で、収納ケース、仕切りを示す正面断面図である。
【図６】  実施の形態１を示す図で、収納ケース、仕切りを示す正面断面図である。
【図７】  実施の形態１を示す図で、収納ケースを示す正面断面図である。
【図８】  実施の形態２を示す図で、収納ケース、仕切りの斜視図である。
【図９】  実施の形態２を示す図で、収納ケース、仕切りを示す正面断面図である。
【図１０】  実施の形態２を示す図で、収納ケース、仕切りを示す正面断面図である。
【図１１】  従来の収納ケースの正面断面図である。
【符号の説明】
１  上段収納ケース、２  仕切り、３  下段収納ケース、４  引出扉フレーム、５  引出扉、６  製氷機、７  貯氷スペース、８  食品収納スペース、９  板状リブ、１ａ  仕切り係合リブ、１ｂ  ストッパーリブ。
【図１】
0004481436.tif 000002
【図２】
0004481436.tif 000003
【図３】
0004481436.tif 000004
【図４】
0004481436.tif 000005
【図５】
0004481436.tif 000006
【図６】
0004481436.tif 000007
【図７】
0004481436.tif 000008
【図８】
0004481436.tif 000009
【図９】
0004481436.tif 000010
【図１０】
0004481436.tif 000011
【図１１】
0004481436.tif 000012